(57)【要約】【課題】花瓶や墓石用の花立等の花器に生けた植物を支持する支持具の提供を目的とする。【解決手段】弾性体からなる略円筒形状であって、上端部２に植物が突出可能な開放口４が設けられ、下端部３に少なくとも挿入する花器内の水を吸収可能な開放口５が設けられ、当該略円筒形状の長手方向の一側を中心に開くことができるように、上端部２の開放口４から下端部３の開放口５まで切断されており、閉じた状態の前記略円筒形状の外径は、挿入する花器の開口部より小さく、かつ、長手方向の長さは挿入する花器の開口部から上部が突出する長さとした。【選択図】図１
2014076220.tif 000002
【特許請求の範囲】
【請求項１】
弾性体からなる略円筒形状であって、
上端部に植物が突出可能な開放口が設けられ、
下端部に少なくとも挿入する花器内の水を吸収可能な開放口が設けられ、
当該略円筒形状の長手方向の一側を中心に開くことができるように、上端部の前記開放口から下端部の前記開放口まで切断されており、
閉じた状態の前記略円筒形状の外径は、挿入する花器の開口部より小さく、かつ、長手方向の長さは挿入する花器の開口部から上部が突出する長さとしたことを特徴とする、支持具。
【請求項２】
弾性体からなる略円筒形状であって、
上端部に植物が突出可能な開放口が設けられ、
下端部に少なくとも挿入する花器内の水を吸収可能な開放口が設けられ、
当該略円筒形状の外周において、上端部の前記開放口から下端部に向けて切り込みを有しており、
前記略円筒形状の外径は、挿入する花器の開口部より小さく、かつ、長手方向の長さは挿入する花器の開口部から上部が突出する長さとしたことを特徴とする、支持具。
【請求項３】
当該支持具の一部又は全部に色彩が付されていることを特徴とする、請求項１又は２に記載の支持具。
【請求項４】
上端部の前記開放口に、突出した植物を支持する蓋が設けられていることを特徴とする、請求項１〜３のいずれかに記載の支持具。
【請求項５】
当該略円筒形状の外周の適宜の箇所に、長手方向の長さが伸縮可能な機構が設けられていることを特徴とする、請求項１〜４のいずれかに記載の支持具。
【発明の詳細な説明】
【技術分野】
【０００１】
この発明は、花瓶や墓石用の花立等の花器に生けた植物を支持する支持具に関する。
【背景技術】
【０００２】
従来、植物を生けるために、花瓶や墓石用の花立等の様々な花器が提供されている。
【０００３】
例えば、特許文献１では、紫外線励起によることなく、可視光励起にて十分な光触媒特性を発揮する光触媒体を備えた花瓶の構成が開示されている。  
【先行技術文献】
【特許文献】
【０００４】
【特許文献１】特開２００９−１３１４２２号公報
【発明の概要】
【発明が解決しようとする課題】
【０００５】
しかしながら、花瓶や墓石用の花立等の花器に花等の植物を生ける場合、１つの植物の径又は複数の植物を１つに束ねた径と、花器の内径との差異が大きいと、植物が倒れてしまい、うまく生けることができなかった。また、１つの植物の径又は複数の植物を１つに束ねた径に合わせて、様々な内径の花器を用意する必要があった。
【０００６】
そこでこの発明は、かかる事情に鑑みてなされたものであって、花器に生けた植物を支持する支持具の提供を目的とする。
【課題を解決するための手段】
【０００７】
前記目的を達成するため、請求項１の発明では、
弾性体からなる略円筒形状であって、
上端部に植物が突出可能な開放口が設けられ、
下端部に少なくとも挿入する花器内の水を吸収可能な開放口が設けられ、
当該略円筒形状の長手方向の一側を中心に開くことができるように、上端部の前記開放口から下端部の前記開放口まで切断されており、
閉じた状態の前記略円筒形状の外径は、挿入する花器の開口部より小さく、かつ、長手方向の長さは挿入する花器の開口部から上部が突出する長さとした、支持具とした。
【０００８】
また、請求項２の発明では、
弾性体からなる略円筒形状であって、
上端部に植物が突出可能な開放口が設けられ、
下端部に少なくとも挿入する花器内の水を吸収可能な開放口が設けられ、
当該略円筒形状の外周において、上端部の前記開放口から下端部に向けて切り込みを有しており、
前記略円筒形状の外径は、挿入する花器の開口部より小さく、かつ、長手方向の長さは挿入する花器の開口部から上部が突出する長さとした、支持具とした。
【０００９】
また、請求項３の発明では、
当該支持具の一部又は全部に色彩が付されている、請求項１又は２に記載の支持具とした。
【００１０】
また、請求項４の発明では、
上端部の前記開放口に、突出した植物を支持する蓋が設けられている、請求項１〜３のいずれかに記載の支持具とした。
【００１１】
また、請求項５の発明では、
当該略円筒形状の外周の適宜の箇所に、長手方向の長さが伸縮可能な機構が設けられている、請求項１〜４のいずれかに記載の支持具とした。
【発明の効果】
【００１２】
請求項１〜５の発明によれば、当該支持具を用いることによって、花器内で植物が支持されるため、１つの植物の径又は複数の植物を１つに束ねた径と、花器の内径との間の差異が大きい場合であっても、花器内で植物が倒れてしまうことがない。また、１つの植物の径又は複数の植物を１つに束ねた径に合わせて、様々な内径の花器を用意する必要がない。
【発明を実施するための形態】
【００１３】
この発明は、弾性体からなる略円筒形状であって、上端部に植物が突出可能な開放口が設けられ、下端部に少なくとも挿入する花器内の水を吸収可能な開放口が設けられており、当該略円筒形状の長手方向の一側を中心に開くことができるように、上端部の前記開放口から下端部の前記開放口まで切断されており、閉じた状態の前記略円筒形状の外径は、挿入する花器の開口部より小さく、かつ、長手方向の長さは挿入する花器の開口部から上部が突出する長さとした構成としたため、１つの植物の径又は複数の植物の径と、花器の内径との間の差異が大きい場合であっても、花器内で植物が倒れてしまうことがない。
【図面の簡単な説明】
【００１４】
【図１】この発明に係る実施例の支持具の全体的な構成を例示的に示す概念図である。
【図２】この発明に係る実施例の支持具の全体的な構成を例示的に示す概念図である。
【図３】この発明に係る実施例の支持具の全体的な構成を例示的に示す概念図である。
【図４】この発明に係る実施例の支持具を花器に用いた状態を例示的に示す概念図である。
【図５】この発明に係る実施例の支持具を花器に用いた状態を例示的に示す概念図である。
【図６】この発明に係る他の実施例の支持具の全体的な構成を例示的に示す概念図である。
【図７】この発明に係る他の実施例の支持具の全体的な構成を例示的に示す概念図である。
【図８】この発明に係る実施例の支持具の構成を例示的に示す平面図である。
【図９】この発明に係る他の実施例の支持具の全体的な構成を例示的に示す概念図である。
【図１０】この発明に係る実施例の支持具を花器に用いた状態を例示的に示す概念図である。
【実施例１】
【００１５】
以下、添付図面を参照して本発明に係る実施例を詳細に説明する。ただし、この実施例に記載されている構成要素はあくまでも例示であり、本発明の範囲をそれらのみに限定する趣旨のものではない。
【００１６】
図１〜図３は、本実施例に係る支持具の全体を示した図であって、図１が当該支持具を長手方向の一側を中心に開いた状態を示すものであって、図２及び図３が当該支持具を閉じた状態を示すものである。そして、図２が上端部２側から見た図であって、図３が下端部３側から見た図である。支持具１は、外向きに開くように一定の力で付勢されている弾性体であって、ユーザが手で押さえることによって、図２に示すように閉じることができる。
【００１７】
また、支持具１は、例えば、ポリエチレンテレフタラート（PET）やシリコン樹脂等の合成樹脂製であって、透明である。なお、支持具１は、植物及び花器６（図４等参照）の美観を損なわない程度に透明な材質であれば良く、合成樹脂製に限定されない。なお、ここで花器６は、植物を生けることが可能な、例えば、花瓶や墓石用の花立である、
【００１８】
支持具１は、略円筒形状であって、図１に示すように支持具１を長手方向の一側を中心に開くことができるように、上端部２の開放口４から下端部３の開放口５まで切断されている。なお、図１では、上端部２の開放口４から下端部３の開放口５まで切断され、開放口５から前記長手方向の一側まで切り欠きが設けられた構成を示したが、この構成に限定されるものではなく、上端部２の開放口４から下端部３に向けて一定長切り込みを有している構成としても良い。
【００１９】
また、閉じた状態の支持具１の略円筒形状の外径は、挿入する花器６の開口部１１（図４等参照）より小さく、かつ、長手方向の長さは挿入する花器の開口部１１から上部が突出する長さとする。
【００２０】
上端部２には、図２に示すように、植物が突出可能な開放口４が設けられており、下端部３には、図３に示すように、花器６内の水を吸収可能で、かつ、植物の突出が可能な開放口５が設けられている。なお、本実施例では、花器６内の水を吸収可能で、かつ、植物の突出が可能な開放口５の構成を示したが、開放口５はこの構成に限定されるものではなく、植物の突出はできないが、花器６内の水を吸収可能な構成としても良い。
【００２１】
図４及び図５は、支持具１を花器６の開口部１１に挿入した状態を示す図である。支持具１を花器６に使用する際には、生ける植物の外周に支持具１を被せて支持具１を閉じ、支持具１と植物とを一体化した状態で、下端部３側から花器６の開口部１１に挿入する。あるいは、支持具１を閉じた状態で、下端部３側から花器６の開口部１１に挿入した後、植物を花器６の開口部１１に挿入しても良い。
【００２２】
このように、支持具１を用いることによって、花器６内で植物が支持されるため、１つの植物の径又は複数の植物の径と、花器６の内径との間の差異が大きい場合であっても、花器６内で植物が倒れてしまうことがない。また、生ける植物の径に合わせて、様々な内径の花器６を用意する必要がない。
【００２３】
＜変形例＞
本実施例では、支持具１の上端部２に開放口４を設ける構成を示したが、この構成に限定されるものではない。例えば、図６に示すように、開放口４に、突出した植物７を支持する蓋８を設ける構成としても良い。図６では、突出した植物７を支持する蓋８として、蓋の中心から放射状に複数の切れ込み９の入った構成が開示されている。このように、支持具１の開放口４に複数の切れ込み９が入った蓋８を設ける構成とし、切れ込み９と切れ込み９との間に植物７を挿入することで、植物７が１本や２本等少ない場合であっても、倒れてしまうことがない。また、ここでは、開放口４に蓋８を設ける構成を示したが、この構成に限定されるわけではなく、突出した植物７を支持する構成であれば良い。従って、例えば、支持具１の上端部２を加工して、突出した植物７を支持する構成を設ける構成としても良い。また、植物７の茎１、２本が貫通可能な程度の貫通孔が設けられた蓋を開放口４に設ける構成としても良い。
【００２４】
また、図７に示すように、支持具１の略円筒形状の外周の適宜の箇所に、例えば、蛇腹１０等の長手方向の長さが伸縮可能な機構を設ける構成としても良い。このような構成とすることによって、花器６や植物の高さに合わせて、支持具１の高さを調節することができ、便宜である。
【００２５】
また、本実施例においては、支持具１の全体が、植物及び花器の美観を損なわない程度に透明である構成を示したが、この構成に限定されるものではない。例えば、一部又は全体に色彩が付されている構成としても良い。このような構成とすれば、花器６の色彩と調和させることができ、また、植物の花器６に挿入されている部分を隠すことができる。
【００２６】
また、本実施例においては、説明の都合上、支持具１を閉じた場合に、略円筒形状になる構成としたが、この構成に限定されるものではなく、図８に示すように、支持具１の一部が重なるように略円筒形状をすぼめることができる構成としても良い。
【００２７】
また、図９に示すように、支持具１の上端部２を折り返し可能な構成としても良い。あるいは、支持具１の上端部２につば（図示省略）が設けられている構成としても良い。これらのような構成とすることによって、花器６と一体化させることができ、支持具１と花器６とがズレにくくなる。
【００２８】
また、本実施例においては、１つの花器６に対し、１つの支持具１を用いる構成を示したが、この構成に限定されるものではなく、図１０に示すように、１つの花器６に対し、複数の支持具１を用いる構成としても良い。例えば、花器６が、花屋がショーケースの中等で使用し、様々な植物を挿しておくものであれば、支持具１を用いることによって、各植物を種類ごとに区分けして、倒れずに保存することができ、便宜である。
【００２９】
また、支持具１は、市場で販売されている様々な大きさの花瓶や墓石用の様々な大きさの花立といった花器６の大きさに合わせて作成すれば、ユーザが使用する用途に合わせて選択することができ、便宜である。
【符号の説明】
【００３０】
１：支持具、２：上端部、３：下端部、４：開放口、５：開放口、６：花器、７：植物、８：蓋、９：切れ込み、１０：蛇腹、１１：開口部
【図１】
2014076220.tif 000003
【図２】
2014076220.tif 000004
【図３】
2014076220.tif 000005
【図４】
2014076220.tif 000006
【図５】
2014076220.tif 000007
【図６】
2014076220.tif 000008
【図７】
2014076220.tif 000009
【図８】
2014076220.tif 000010
【図９】
2014076220.tif 000011
【図１０】
2014076220.tif 000012